(57)【要約】【課題】長尺状感光性ウエブに形成された加工部位の基準位置に対する位置を、簡易な構成で高精度に検出し、高品質な感光性積層体を製造することのできる感光性積層体の製造装置及び製造方法を提供する。【解決手段】二次元光源６９ａ、６９ｂからの照明光を長尺状感光性ウエブ２２ａ、２２ｂに照射し、その透過光を第１及び第２検出機構４７ａ、４７ｂを構成するＣＣＤカメラ７２ａ、７２ｂにより受光することで、基準位置に配置された基準片６７ａ、６７ｂとともにハーフカット部位３４の画像を撮像し、撮像した画像から基準片６７ａ、６７ｂに対するハーフカット部位３４の位置ずれ量ΔＬａ、ΔＬｂ及びΔＭａ、ΔＭｂを算出し、位置ずれ量ΔＬａ、ΔＬｂ及びΔＭａ、ΔＭｂに従ってゴムローラ８０ａを駆動して感光性ウエブ２２ａ、２２ｂの送り量を補正する。【選択図】図４
2008155465.tif 000002
【特許請求の範囲】
【請求項１】
支持体上に感光材料層と保護フイルムとが順に積層されてなる長尺状感光性ウエブを送り出し、前記保護フイルムの剥離部分と残存部分との境界位置に対応する加工部位を、前記保護フイルムから前記感光材料層に至る部分に形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する感光性積層体の製造装置において、
前記加工部位を形成する加工部と前記圧着ローラとの間における前記長尺状感光性ウエブの搬送路中の所定部位に配置され、基準位置に対する前記加工部位の位置を検出する位置検出手段を備え、
前記位置検出手段は、
前記感光材料層を感光することのない波長からなる照明光を前記長尺状感光性ウエブに照射する光源と、
前記長尺状感光性ウエブの少なくとも搬送方向に延在する検出域を有し、前記長尺状感光性ウエブを透過し、あるいは、前記長尺状感光性ウエブによって反射された前記照明光に基づいて前記加工部位を検出する検出部と、
前記検出部により検出された前記加工部位の前記基準位置に対する位置を算出する算出部と、
を備えることを特徴とする感光性積層体の製造装置。
【請求項２】
請求項１記載の製造装置において、
前記検出部は、前記検出域を構成する複数の検出画素を有する二次元センサからなることを特徴とする感光性積層体の製造装置。
【請求項３】
請求項１記載の製造装置において、
前記検出部は、前記検出域を構成する複数の検出画素を有する一次元センサからなることを特徴とする感光性積層体の製造装置。
【請求項４】
請求項１記載の製造装置において、
前記検出域の所定位置を前記基準位置に設定することを特徴とする感光性積層体の製造装置。
【請求項５】
請求項１記載の製造装置において、
前記検出部と前記長尺状感光性ウエブとの間に、前記基準位置を規定する基準片を配設し、前記検出部は、前記加工部位及び前記基準片を検出することを特徴とする感光性積層体の製造装置。
【請求項６】
請求項１〜５のいずれか１項に記載の製造装置において、
前記位置検出手段は、前記圧着ローラの位置を基準として設定した前記基準位置に対する前記加工部位の位置を検出することを特徴とする感光性積層体の製造装置。
【請求項７】
支持体上に感光材料層と保護フイルムとが順に積層されてなる長尺状感光性ウエブを送り出し、前記保護フイルムの剥離部分と残存部分との境界位置に対応する加工部位を、前記保護フイルムから前記感光材料層に至る部分に形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する感光性積層体の製造方法において、
前記感光材料層を感光することのない波長からなる照明光を前記長尺状感光性ウエブに照射し、前記長尺状感光性ウエブを透過し、あるいは、前記長尺状感光性ウエブによって反射された前記照明光を、前記長尺状感光性ウエブの搬送方向に延在する検出域を有する検出部によって検出するステップと、
前記検出部によって検出された前記加工部位の位置を、所定の基準位置に対する位置として算出するステップと、
からなることを特徴とする感光性積層体の製造方法。
【請求項８】
請求項７記載の製造方法において、
前記検出域の所定位置を前記基準位置に設定することを特徴とする感光性積層体の製造方法。
【請求項９】
請求項７又は８記載の製造方法において、
前記圧着ローラの位置を基準として設定した前記基準位置に対する前記加工部位の位置を検出することを特徴とする感光性積層体の製造方法。
【発明の詳細な説明】
【技術分野】
【０００１】
本発明は、基板と、支持体上に感光材料層が設けられた長尺状感光性ウエブとを一対の圧着ローラ間に送り出し、前記感光材料層を前記基板に貼り付けることで感光性積層体を製造する感光性積層体の製造装置及び製造方法に関する。
【背景技術】
【０００２】
例えば、液晶パネル用基板、プリント配線用基板、ＰＤＰパネル用基板では、感光性樹脂層（感光材料層）を有する感光性シート体（感光性ウエブ）を基板表面に貼り付けて構成されている。感光性シート体は、可撓性プラスチック支持体上に感光性樹脂層と保護フイルムとが順に積層されている。
【０００３】
この種の感光性シート体の貼り付けに使用される製造装置は、通常、ガラス基板や樹脂基板等の基板を所定の間隔ずつ離間させて搬送するとともに、前記基板に貼り付けられる感光性樹脂層の範囲に対応して、前記感光性シート体から保護フイルムを剥離する方式が採用されている。
【０００４】
例えば、特許文献１に開示されている製造装置では、図９に示すように、フイルムロール１から繰り出される積層体フイルム（感光性シート体）１ａは、ガイドローラ２ａ、２ｂに巻き付けられて水平のフイルム搬送面に沿って延在している。このガイドローラ２ｂには、積層体フイルム１ａの送り量に応じた数のパルス信号を出力するロータリエンコーダ３が取り付けられている。
【０００５】
水平のフイルム搬送面に沿って延在する積層体フイルム１ａは、サクションローラ４に巻き掛けられるとともに、前記ガイドローラ２ｂと前記サクションローラ４との間には、ハーフカッタ装置５とカバーフイルム剥離装置６とが設けられている。
【０００６】
ハーフカッタ装置５は、積層体フイルム１ａの搬送方向に所定間隔離間する一対のディスクカッタ５ａ、５ｂを備えている。ディスクカッタ５ａ、５ｂは、積層体フイルム１ａのフイルム幅方向に沿って移動することにより、前記積層体フイルム１ａのカバーフイルム（図示せず）における剥離部分と残存部分との２個所の境界部分をその裏側の感光性樹脂層（図示せず）と一体に切断する。
【０００７】
カバーフイルム剥離装置６は、粘着テープロール７から繰り出される粘着テープ７ａを押圧ローラ８ａ、８ｂ間でカバーフイルムの剥離部分に強く圧着させた後、巻き取りロール９によって巻き取る。これにより、カバーフイルムの剥離部分は、感光性樹脂層から剥離されて粘着テープ７ａと共に巻き取りロール９に巻き取られる。
【０００８】
サクションローラ４の下流には、基板搬送装置１０によって所定の間隔で搬送される複数の基板１１の上面に、カバーフイルムの剥離された積層体フイルム１ａの剥離部分を重ねて圧着する一対のラミネーションローラ１２ａ、１２ｂが配設されている。このラミネーションローラ１２ａ、１２ｂの下流側には、支持フイルム巻き取りロール１３が配置されている。基板１１に貼り付けられている透光性支持フイルム（図示せず）は、基板１１に感光性樹脂層を残存させた状態でカバーフイルムの残存部分とともに支持フイルム巻き取りロール１３に巻き取られる。
【０００９】
ところで、カバーフイルムの剥離された積層体フイルム１ａの剥離部分を基板１１の所望の範囲に正確に貼り付けるためには、カバーフイルムの剥離部分と残存部分との境界部分を基準として、積層体フイルム１ａをラミネーションローラ１２ａ、１２ｂ間に高精度に送り出す必要がある。
【００１０】
しかしながら、積層体フイルム１ａは、可撓性の支持フイルム上に感光性樹脂層を形成したものであり、テンションを付与した状態で搬送されるため、搬送中に発生した延びの影響により、前記境界部分の位置がずれてしまうおそれがある。また、ラミネーションローラ１２ａ、１２ｂは、積層体フイルム１ａと基板１１とを加熱した状態で貼り付けるため、特に、ラミネーションローラ１２ａ、１２ｂの近傍での積層体フイルム１ａの延びが大きくなってしまう。
【００１１】
この場合、ラミネーションローラ１２ａ、１２ｂ間において、前記積層体フイルム１ａの前記境界部分の位置を検出することができれば、その位置を調整して高精度な貼り付け処理を行うことが可能である。しかしながら、積層体フイルム１ａ及び基板１１をラミネーションローラ１２ａ、１２ｂで挟持したまま境界部分の位置を検出することは、ラミネーションローラ１２ａ、１２ｂが検出を阻害するため、現実的には不可能である。
【００１２】
そこで、サクションローラ４と、ラミネーションローラ１２ａ、１２ｂとの間の所定部位に前記境界部分を検出するセンサを配置し、このセンサが境界部分を検出した時点からの積層体フイルム１ａの送り量を制御するようにした製造装置が本出願人によって提案されている（特許文献２参照）。
【００１３】
【特許文献１】特開平１１−３４２８０号公報（図１）
【特許文献２】特開２００６−２９７８８９号公報（図１）
【発明の開示】
【発明が解決しようとする課題】
【００１４】
この場合、前記センサと前記ラミネーションローラ１２ａ、１２ｂとの間の距離、及び、この間における積層体フイルム１ａの延び率が分かれば、ラミネーションローラ１２ａ、１２ｂ間に境界部分を高精度に設定することができる。
【００１５】
しかしながら、前記センサは、境界部分を検出することはできるが、その境界部分が所望の位置からどの程度ずれているのかまで検出できるものではない。
【００１６】
本発明は、長尺状感光性ウエブに形成された加工部位の基準位置に対する位置を、簡易な構成で高精度に検出し、高品質な感光性積層体を製造することのできる感光性積層体の製造装置及び製造方法を提供することを目的とする。
【課題を解決するための手段】
【００１７】
本発明は、支持体上に感光材料層と保護フイルムとが順に積層されてなる長尺状感光性ウエブを送り出し、前記保護フイルムの剥離部分と残存部分との境界位置に対応する加工部位を、前記保護フイルムから前記感光材料層に至る部分に形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する感光性積層体の製造装置において、
前記加工部位を形成する加工部と前記圧着ローラとの間における前記長尺状感光性ウエブの搬送路中の所定部位に配置され、基準位置に対する前記加工部位の位置を検出する位置検出手段を備え、
前記位置検出手段は、
前記感光材料層を感光することのない波長からなる照明光を前記長尺状感光性ウエブに照射する光源と、
前記長尺状感光性ウエブの少なくとも搬送方向に延在する検出域を有し、前記長尺状感光性ウエブを透過し、あるいは、前記長尺状感光性ウエブによって反射された前記照明光に基づいて前記加工部位を検出する検出部と、
前記検出部により検出された前記加工部位の前記基準位置に対する位置を算出する算出部と、
を備えることを特徴とする。
【００１８】
また、本発明は、支持体上に感光材料層と保護フイルムとが順に積層されてなる長尺状感光性ウエブを送り出し、前記保護フイルムの剥離部分と残存部分との境界位置に対応する加工部位を、前記保護フイルムから前記感光材料層に至る部分に形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する感光性積層体の製造方法において、
前記感光材料層を感光することのない波長からなる照明光を前記長尺状感光性ウエブに照射し、前記長尺状感光性ウエブを透過し、あるいは、前記長尺状感光性ウエブによって反射された前記照明光を、前記長尺状感光性ウエブの搬送方向に延在する検出域を有する検出部によって検出するステップと、
前記検出部によって検出された前記加工部位の位置を、所定の基準位置に対する位置として算出するステップと、
からなることを特徴とする。
【発明の効果】
【００１９】
本発明では、長尺状感光性ウエブの搬送方向に延在する検出域を有した検出部を用いて、長尺状感光性ウエブに形成された加工部位の基準位置に対する位置を、簡易な構成で高精度に検出することができる。この場合、例えば、検出された加工部位の位置に従い、長尺状感光性ウエブの搬送量や加工部位の形成位置を調整し、基板の所望の位置に感光材料層が貼り付けられた高品質な感光性積層体を製造することができる。
【発明を実施するための最良の形態】
【００２０】
図１は、本発明の第１の実施形態に係る感光性積層体の製造装置２０の概略構成図であり、この製造装置２０は、液晶又は有機ＥＬ用カラーフィルタ等の製作工程で、長尺状感光性ウエブ２２ａ、２２ｂの各感光性樹脂層２８（後述する）を並列してガラス基板２４に熱転写する作業を行う。感光性ウエブ２２ａ、２２ｂは、それぞれ所定の幅寸法に設定されている。
【００２１】
図２は、製造装置２０に使用される感光性ウエブ２２ａ、２２ｂの断面図である。この感光性ウエブ２２ａ、２２ｂは、可撓性ベースフイルム（支持体）２６と、感光性樹脂層（感光材料層）２８と、保護フイルム３０とを積層して構成される。
【００２２】
図１に示すように、製造装置２０は、感光性ウエブ２２ａ、２２ｂをロール状に巻回した２本（２本以上であればよい）の感光性ウエブロール２３ａ、２３ｂを収容し、各感光性ウエブロール２３ａ、２３ｂから前記感光性ウエブ２２ａ、２２ｂを同期して送り出し可能な第１及び第２ウエブ送り出し機構３２ａ、３２ｂと、送り出された各感光性ウエブ２２ａ、２２ｂの保護フイルム３０及び感光性樹脂層２８に幅方向に切断可能な境界位置であるハーフカット部位（加工部位）３４を形成する第１及び第２加工機構３６ａ、３６ｂと、一部に非接着部３８ａを有する接着ラベル３８（図３参照）を各保護フイルム３０に接着させる第１及び第２ラベル接着機構４０ａ、４０ｂとを備える。
【００２３】
第１及び第２ラベル接着機構４０ａ、４０ｂの下流には、各感光性ウエブ２２ａ、２２ｂをタクト送りから連続送りに変更するための第１及び第２リザーバ機構４２ａ、４２ｂと、各感光性ウエブ２２ａ、２２ｂから保護フイルム３０を所定の長さ間隔で剥離させる第１及び第２剥離機構４４ａ、４４ｂと、ガラス基板２４を所定の温度に加熱した状態で貼り付け位置に搬送する基板搬送機構４５と、前記保護フイルム３０の剥離により露出した感光性樹脂層２８を前記ガラス基板２４に一体的且つ並列に貼り付ける貼り付け機構４６とが配設される。
【００２４】
貼り付け機構４６における貼り付け位置の上流近傍には、各感光性ウエブ２２ａ、２２ｂの境界位置であるそれぞれのハーフカット部位３４の位置を検出する第１及び第２検出機構（位置検出手段）４７ａ、４７ｂが配設される。
【００２５】
第１及び第２ウエブ送り出し機構３２ａ、３２ｂの下流近傍には、略使用済みの感光性ウエブ２２ａ、２２ｂの後端と、新たに使用される感光性ウエブ２２ａ、２２ｂの先端とを貼り付けるそれぞれの貼り付け台４９が配設される。貼り付け台４９の下流には、感光性ウエブロール２３ａ、２３ｂの巻きずれによる幅方向のずれを制御するために、フイルム端末位置検出器５１が配設される。ここで、フイルム端末位置調整は、第１及び第２ウエブ送り出し機構３２ａ、３２ｂを幅方向に移動させて行うが、ローラを組み合わせた位置調整機構を付設して行ってもよい。なお、第１及び第２ウエブ送り出し機構３２ａ、３２ｂは、感光性ウエブロール２３ａ、２３ｂを装填して感光性ウエブ２２ａ、２２ｂを繰り出す繰り出し軸を、２軸又は３軸等の多軸に構成してもよい。
【００２６】
第１及び第２加工機構３６ａ、３６ｂは、第１及び第２ウエブ送り出し機構３２ａ、３２ｂに収容巻回されている各感光性ウエブロール２３ａ、２３ｂのロール径を算出するためのローラ対５０の下流に配置される。第１及び第２加工機構３６ａ、３６ｂは、それぞれ単一の丸刃５２を備え、この丸刃５２は、感光性ウエブ２２ａ、２２ｂの幅方向に走行して、保護フイルム３０の残存部分３０ｂ（図２）を挟んだ所定の２個所の位置にハーフカット部位３４を形成する。
【００２７】
図２に示すように、ハーフカット部位３４は、少なくとも保護フイルム３０及び感光性樹脂層２８を切断する必要があり、実際上、ベースフイルム２６まで切り込むように丸刃５２の切り込み深さが設定される。丸刃５２は、回転することなく固定された状態で、感光性ウエブ２２ａ、２２ｂの幅方向に移動してハーフカット部位３４を形成する方式や、前記感光性ウエブ２２ａ、２２ｂ上を滑ることなく回転しながら前記幅方向に移動して前記ハーフカット部位３４を形成する方式が採用される。このハーフカット部位３４は、丸刃５２に代替して、例えば、レーザ光や超音波を用いたカット方式の他、ナイフ刃、押し切り刃（トムソン刃）等で形成する方式を採用してもよい。
【００２８】
なお、第１及び第２加工機構３６ａ、３６ｂは、それぞれ感光性ウエブ２２ａ、２２ｂの搬送方向（矢印Ａ方向）に残存部分３０ｂの幅に対応した距離だけ離間して２台配設し、保護フイルム３０の残存部分３０ｂ（図２）を挟んで２つのハーフカット部位３４を同時に形成してもよい。
【００２９】
ハーフカット部位３４は、感光性樹脂層２８をガラス基板２４に貼り付けた際、例えば、前記ガラス基板２４の両端部からそれぞれ１０ｍｍずつ内側に入り込んだ位置となるように設定される。なお、ガラス基板２４間の保護フイルム３０の残存部分３０ｂは、後述する貼り付け機構４６において感光性樹脂層２８を前記ガラス基板２４に額縁状に貼り付ける際のマスクとして機能するものである。
【００３０】
第１及び第２ラベル接着機構４０ａ、４０ｂは、ガラス基板２４間に対応して保護フイルム３０の残存部分３０ｂを残すため、剥離側前方の剥離部分３０ａａと剥離側後方の剥離部分３０ａｂとを連結する接着ラベル３８を供給する。図２に示すように、保護フイルム３０は、残存部分３０ｂを挟んで、先に剥離される部分を前方の剥離部分３０ａａとする一方、後に剥離される部分を後方の剥離部分３０ａｂとする。
【００３１】
図３に示すように、接着ラベル３８は、短冊状に構成されており、例えば、保護フイルム３０と同一の樹脂材で形成される。接着ラベル３８は、中央部に粘着剤が塗布されない非接着部（微粘着を含む）３８ａを有するとともに、この非接着部３８ａの両側、すなわち、前記接着ラベル３８の長手方向両端部に、前方の剥離部分３０ａａに接着される第１接着部３８ｂと、後方の剥離部分３０ａｂに接着される第２接着部３８ｃとを有する。
【００３２】
図１に示すように、第１及び第２ラベル接着機構４０ａ、４０ｂは、それぞれ最大７枚の接着ラベル３８を所定間隔ずつ離間して貼り付け可能な吸着パッド５４ａ〜５４ｇを備えるとともに、前記吸着パッド５４ａ〜５４ｇによる前記接着ラベル３８の貼り付け位置には、感光性ウエブ２２ａ、２２ｂを下方から保持するための受け台５６が昇降自在に配置される。
【００３３】
第１及び第２リザーバ機構４２ａ、４２ｂは、上流側の感光性ウエブ２２ａ、２２ｂのタクト搬送と、下流側の前記感光性ウエブ２２ａ、２２ｂの連続搬送との速度差を吸収するために、矢印方向に揺動自在なダンサーローラ６０を備える。第２リザーバ機構４２ｂには、第１及び第２ウエブ送り出し機構３２ａ、３２ｂから送り出される各感光性ウエブ２２ａ、２２ｂが貼り付け機構４６に至るまでの各搬送路長を同一に調整するためのダンサーローラ６１が配設される。
【００３４】
第１及び第２リザーバ機構４２ａ、４２ｂの下流に配置される第１及び第２剥離機構４４ａ、４４ｂは、それぞれ感光性ウエブ２２ａ、２２ｂの送り出し側のテンション変動を遮断し、ラミネート時のテンションを安定化させるためのサクションドラム６２を備える。各サクションドラム６２の近傍には、剥離ローラ６３が配置されるとともに、この剥離ローラ６３を介して感光性ウエブ２２ａ、２２ｂから鋭角の剥離角で剥離される保護フイルム３０は、残存部分３０ｂを除いてそれぞれ保護フイルム巻き取り部６４に巻き取られる。
【００３５】
第１及び第２剥離機構４４ａ、４４ｂの下流側には、感光性ウエブ２２ａ、２２ｂにテンションを付与可能な第１及び第２テンション制御機構６６ａ、６６ｂが配設される。第１及び第２テンション制御機構６６ａ、６６ｂは、それぞれシリンダ６８を備え、前記シリンダ６８の駆動作用下に、それぞれテンションダンサー７０が揺動変位することにより、各テンションダンサー７０が摺接する感光性ウエブ２２ａ、２２ｂのテンションが調整可能である。なお、第１及び第２テンション制御機構６６ａ、６６ｂは、必要に応じて使用すればよく、削除することもできる。
【００３６】
ハーフカット部位３４の位置を検出する第１及び第２検出機構４７ａ、４７ｂは、図４に示すように、搬送ローラ７３と搬送ローラ７１ａ、７１ｂとの間の長尺状感光性ウエブ２２ａ、２２ｂが直線状となる部分に配設されており、図５に示すように、長尺状感光性ウエブ２２ａ、２２ｂの搬送方向に延在する検出域を有する二次元センサである、例えば、ＣＣＤカメラ（検出部）７２ａ、７２ｂと、感光性ウエブ２２ａ、２２ｂを介してＣＣＤカメラ７２ａ、７２ｂに対向配置され、照明光を長尺状感光性ウエブ２２ａ、２２ｂに照射する二次元光源６９ａ、６９ｂとを備える。
【００３７】
ＣＣＤカメラ７２ａ、７２ｂは、前記検出域を構成する複数の検出画素を有する。ＣＣＤカメラ７２ａ、７２ｂは、長尺状感光性ウエブ２２ａ、２２ｂの搬送方向に対するハーフカット部位３４の位置を検出できるものであればよく、従って、複数の検出画素が前記搬送方向に配列された一次元センサで構成することもできる。また、二次元光源６９ａ、６９ｂから出力される照明光は、感光性樹脂層２８を感光することのない波長からなる光、例えば、赤色光とする。
【００３８】
ＣＣＤカメラ７２ａ、７２ｂの検出域の基準位置には、貼り付け機構４６を構成するゴムローラ８０ａ、８０ｂの位置を基準として位置決めされた基準片６７ａ、６７ｂが配設される。具体的には、図４に示すように、例えば、ガラス基板２４に貼り付けられた先行する感光性樹脂層２８の後端部のハーフカット部位３４がゴムローラ８０ａ、８０ｂの中心線上に位置しているとき、前記後端部のハーフカット部位３４から後行する次の感光性樹脂層２８の後端部のハーフカット部位３４までの基準長さＬとなる位置に各基準片６７ａ、６７ｂが配設される。この場合、基準長さＬは、ガラス基板２４に貼り付けられる感光性樹脂層２８の設計上の長さである。
【００３９】
なお、第１及び第２検出機構４７ａ、４７ｂは、長尺状感光性ウエブ２２ａ、２２ｂの搬送路に沿って、図５に示す矢印方向に移動可能に構成することで、異なる基準長さＬに対応して基準片６７ａ、６７ｂの位置を調整することができる。また、ハーフカット部位３４の基準位置を示す基準片６７ａ、６７ｂの位置を、ＣＣＤカメラ７２ａ、７２ｂの検出域内で基準長さＬに対応して調整可能としてもよい。さらに、基準片６７ａ、６７ｂを使用する代わりに、ＣＣＤカメラ７２ａ、７２ｂを構成する検出画素を特定し、その検出画素の位置を基準位置としてもよい。
【００４０】
基板搬送機構４５は、ガラス基板２４を挟持するように配設される複数組の基板加熱部（例えば、ヒータ）７４と、このガラス基板２４を矢印Ｃ方向に搬送する搬送部７６とを備える。基板加熱部７４では、ガラス基板２４の温度を常時監視し、異常時には、搬送部７６の停止や警報を発生するとともに、異常情報を発信して異常なガラス基板２４を後工程でＮＧ排出、品質管理又は生産管理等に活用することができる。搬送部７６には、図示しないエア浮上プレートが配設され、ガラス基板２４が浮上されて矢印Ｃ方向に搬送される。ガラス基板２４の搬送は、ローラコンベアでも行える。
【００４１】
ガラス基板２４の温度測定は、基板加熱部７４内又は貼り付け位置直前で行うことが好ましい。測定方法としては、接触式（例えば、熱電対）の他、非接触式であってもよい。
【００４２】
基板加熱部７４の上流には、複数のガラス基板２４が収容される基板ストッカー７１が設けられる。この基板ストッカー７１に収容されている各ガラス基板２４は、ロボット７５のハンド部７５ａに設けられた吸着パッド７９に吸着されて取り出され、基板加熱部７４に挿入される。
【００４３】
貼り付け機構４６は、上下に配設されるとともに、所定温度に加熱されるゴムローラ（圧着ローラ）８０ａ、８０ｂを備える。ゴムローラ８０ａ、８０ｂには、バックアップローラ８２ａ、８２ｂが摺接する。一方のバックアップローラ８２ｂは、ローラクランプ部８３を構成する加圧シリンダ８４ａ、８４ｂによりゴムローラ８０ｂ側に押圧される。
【００４４】
ゴムローラ８０ａの近傍には、感光性ウエブ２２ａ、２２ｂが前記ゴムローラ８０ａに接触することを防止するための接触防止ローラ８６が移動可能に配設される。貼り付け機構４６の上流近傍には、感光性ウエブ２２ａ、２２ｂを予め所定温度に予備加熱するための予備加熱部８７が配設される。この予備加熱部８７は、例えば、赤外線バーヒータ等の加熱手段を備える。
【００４５】
ガラス基板２４は、貼り付け機構４６から矢印Ｃ方向に延在する搬送路８８を介して搬送される。この搬送路８８には、フイルム搬送ローラ９０ａ、９０ｂ及び基板搬送ローラ９２が配設される。ゴムローラ８０ａ、８０ｂと基板搬送ローラ９２との間隔は、ガラス基板２４の一枚分の長さ以下に設定されることが好ましい。基板搬送ローラ９２の下流側近傍には、搬送されたガラス基板２４の先端部を検知する基板先端検知センサ９４が配設される。基板先端検知センサ９４は、ガラス基板２４に貼り付けられた感光性樹脂層２８の後端部のハーフカット部位３４が貼り付け機構４６のゴムローラ８０ａ、８０ｂ間に配置されたとき、ガラス基板２４の先端部を検知する位置に配置される。
【００４６】
また、基板搬送ローラ９２の下流には、冷却機構１２２とベース自動剥離機構１４２とが設けられる。ベース自動剥離機構１４２は、所定間隔ずつ離間する各ガラス基板２４に貼り付けられている長尺なベースフイルム２６を連続して剥離するものであり、プレ剥離部１４４と、比較的小径な剥離ローラ１４６と、巻き取り軸１４８と、自動貼り付け機１５０とを備えている。巻き取り軸１４８は、駆動時にトルク制御してベースフイルム２６に張力を付与する一方、例えば、剥離ローラ１４６に張力検出器（図示せず）を設けることにより、張力のフィードバック制御を行うことが好ましい。プレ剥離部１４４は、ガラス基板２４間で昇降可能な剥離バー１５６を備える。
【００４７】
ベース自動剥離機構１４２の下流には、ガラス基板２４に実際に貼り付けられた感光性樹脂層２８のエリア位置を測定する測定器１５８が配設される。この測定器１５８は、例えば、感光性樹脂層２８が貼り付けられたガラス基板２４を撮影するＣＣＤ等のカメラ１６０を備える。
【００４８】
また、ベース自動剥離機構１４２の下流には、測定器１５８によって感光性樹脂層２８にエリア位置の測定された複数の感光性積層体１０６が収容される感光性積層体ストッカー１３２が設けられる。ベース自動剥離機構１４２でベースフイルム２６及び残存部分３０ｂが剥離された感光性積層体１０６は、ロボット１３４のハンド部１３４ａに設けられた吸着パッド１３６に吸着されて取り出され、感光性積層体ストッカー１３２に収容される。
【００４９】
なお、以上のように構成される製造装置２０では、第１及び第２ウエブ送り出し機構３２ａ、３２ｂ、第１及び第２加工機構３６ａ、３６ｂ、第１及び第２ラベル接着機構４０ａ、４０ｂ、第１及び第２リザーバ機構４２ａ、４２ｂ、第１及び第２剥離機構４４ａ、４４ｂ、第１及び第２テンション制御機構６６ａ、６６ｂ並びに第１及び第２検出機構４７ａ、４７ｂが、貼り付け機構４６の上方に配置されているが、これとは逆に、前記第１及び第２ウエブ送り出し機構３２ａ、３２ｂから前記第１及び第２検出機構４７ａ、４７ｂまでを前記貼り付け機構４６の下方に配置し、感光性ウエブ２２ａ、２２ｂの上下が逆になって感光性樹脂層２８がガラス基板２４の下側に貼り付けてもよく、また、前記製造装置２０全体を直線状に構成してもよい。
【００５０】
図１に示すように、製造装置２０は、ラミネート工程制御部１００により全体が制御されており、この製造装置２０の各機能部毎に、例えば、ラミネート制御部１０２、基板加熱制御部１０４及びハーフカット制御部１０８等が設けられ、これらが工程内ネットワークにより相互に接続されている。さらに、ラミネート工程制御部１００は、工場ネットワークに接続されており、図示しない工場ＣＰＵからの指示情報（条件設定や生産情報）の生産管理や稼動管理等、生産のための情報処理を行う。
【００５１】
基板加熱制御部１０４は、上流工程からガラス基板２４を受け入れ、このガラス基板２４を所望の温度まで加熱して貼り付け機構４６に供給する動作及び該ガラス基板２４の情報のハンドリング等を制御する。
【００５２】
ラミネート制御部１０２は、工程全体のマスターとして、各機能部の制御を行うものであり、第１及び第２検出機構４７ａ、４７ｂにより検出された感光性ウエブ２２ａ、２２ｂのハーフカット部位３４の位置情報に基づいて、貼り付け位置における各境界位置とガラス基板２４との相対位置及び各境界位置同士の相対位置を制御可能な制御機構を構成している。
【００５３】
ハーフカット制御部１０８は、第１及び第２加工機構３６ａ、３６ｂを制御し、感光性ウエブ２２ａ、２２ｂの所定の位置にハーフカット部位３４を形成する。
【００５４】
図６は、ラミネート工程制御部１００、ラミネート制御部１０２及びハーフカット制御部１０８によるハーフカット部位３４の位置ずれを補正する機能の構成ブロックを示す。
【００５５】
この場合、ラミネート工程制御部１００は、ガラス基板２４の先端部が基板先端検知センサ９４により検知されたとき、ＣＣＤカメラ７２ａ、７２ｂによって撮影した検出域の画像に基づき、基準片６７ａ、６７ｂの先端部の基準位置に対する各感光性ウエブ２２ａ、２２ｂのハーフカット部位３４の位置ずれ量ΔＬａ、ΔＬｂ及びΔＭａ、ΔＭｂを算出する位置ずれ量算出部（算出部）１２０を有する。なお、位置ずれ量ΔＬａ、ΔＬｂは、ガラス基板２４に貼り付けられる感光性樹脂層２８の後端部に配置されるハーフカット部位３４の位置ずれ量であり、位置ずれ量ΔＭａ、ΔＭｂは、ガラス基板２４に貼り付けられる感光性樹脂層２８の前端部に配置されるハーフカット部位３４の位置ずれ量である。
【００５６】
ラミネート制御部１０２は、位置ずれ量算出部１２０によって算出されたハーフカット部位３４の位置ずれ量ΔＬａ、ΔＬｂ及びΔＭａ、ΔＭｂに基づき、ガラス基板２４に貼り付けられる感光性樹脂層２８の送り量を制御するラミネート制御パルスを補正し、また、ガラス基板２４間での保護フイルム３０の残存部分３０ｂの送り量を制御する基板間送り制御パルスを補正する制御パルス補正部１２３と、補正されたラミネート制御パルス又は基板間送り制御パルスに従い、ゴムローラ８０ａを回転させるローラ駆動モータ１２４を制御するローラ制御部１２６とを有する。
【００５７】
ハーフカット制御部１０８は、位置ずれ量算出部１２０によって算出されたハーフカット部位３４の位置ずれ量ΔＬａ、ΔＬｂ又はΔＭａ、ΔＭｂが所定の許容量を超過しているとき、前記位置ずれ量ΔＬａ、ΔＬｂ又はΔＭａ、ΔＭｂに基づき、第１及び第２加工機構３６ａ、３６ｂによるハーフカット部位３４の位置を補正するハーフカット位置補正部１２８を有する。
【００５８】
製造装置２０内は、仕切り壁１１０を介して第１クリーンルーム１１２ａと第２クリーンルーム１１２ｂとに仕切られる。第１クリーンルーム１１２ａには、第１及び第２ウエブ送り出し機構３２ａ、３２ｂから第１及び第２テンション制御機構６６ａ、６６ｂまでが収容されるとともに、第２クリーンルーム１１２ｂには、第１及び第２検出機構４７ａ、４７ｂ以降が収容される。第１クリーンルーム１１２ａと第２クリーンルーム１１２ｂとは、貫通部１１４を介して連通する。
【００５９】
以上のように構成される製造装置２０の動作について、本発明に係る製造方法との関連で以下に説明する。
【００６０】
先ず、第１及び第２ウエブ送り出し機構３２ａ、３２ｂに取り付けられている各感光性ウエブロール２３ａ、２３ｂから感光性ウエブ２２ａ、２２ｂが送り出される。感光性ウエブ２２ａ、２２ｂは、第１及び第２加工機構３６ａ、３６ｂに搬送される。
【００６１】
第１及び第２加工機構３６ａ、３６ｂでは、丸刃５２が感光性ウエブ２２ａ、２２ｂの幅方向に移動して、前記感光性ウエブ２２ａ、２２ｂを保護フイルム３０から感光性樹脂層２８乃至ベースフイルム２６まで切り込んでハーフカット部位３４を形成する（図２参照）。さらに、感光性ウエブ２２ａ、２２ｂは、保護フイルム３０の残存部分３０ｂの幅Ｍに対応して矢印Ａ方向に搬送された後に停止され、丸刃５２の走行作用下にハーフカット部位３４が形成される。これにより、感光性ウエブ２２ａ、２２ｂには、残存部分３０ｂを挟んで前方の剥離部分３０ａａと後方の剥離部分３０ａｂとが設けられる（図２参照）。
【００６２】
なお、残存部分３０ｂの幅Ｍは、感光性ウエブ２２ａ、２２ｂが延びないことを前提として、貼り付け機構４６のゴムローラ８０ａ、８０ｂ間に供給されるガラス基板２４間の距離を基準として設定されるものとする。また、幅Ｍで形成される一組のハーフカット部位３４は、ガラス基板２４に貼り付けられる感光性樹脂層２８の基準長さＬの間隔で長尺状感光性ウエブ２２ａ、２２ｂに形成される。
【００６３】
次いで、各感光性ウエブ２２ａ、２２ｂは、第１及び第２ラベル接着機構４０ａ、４０ｂに搬送されて、保護フイルム３０の所定の貼り付け部位が受け台５６上に配置される。第１及び第２ラベル接着機構４０ａ、４０ｂでは、所定枚数の接着ラベル３８が吸着パッド５４ｂ〜５４ｇにより吸着保持され、各接着ラベル３８が保護フイルム３０の残存部分３０ｂを跨いで、前方の剥離部分３０ａａと後方の剥離部分３０ａｂとに一体的に接着される（図３参照）。
【００６４】
例えば、７枚の接着ラベル３８が接着された感光性ウエブ２２ａ、２２ｂは、図１に示すように、第１及び第２リザーバ機構４２ａ、４２ｂを介して送り出し側のテンション変動を防いだ後、第１及び第２剥離機構４４ａ、４４ｂに連続的に搬送される。第１及び第２剥離機構４４ａ、４４ｂでは、感光性ウエブ２２ａ、２２ｂのベースフイルム２６がサクションドラム６２に吸着保持されるとともに、保護フイルム３０が残存部分３０ｂを残して前記感光性ウエブ２２ａ、２２ｂから剥離される。この保護フイルム３０は、剥離ローラ６３を介して剥離されて保護フイルム巻き取り部６４に巻き取られる（図１参照）。
【００６５】
第１及び第２剥離機構４４ａ、４４ｂの作用下に、保護フイルム３０が残存部分３０ｂを残してベースフイルム２６から剥離された後、感光性ウエブ２２ａ、２２ｂは、第１及び第２テンション制御機構６６ａ、６６ｂによってテンション調整が行われ、次いで、第１及び第２検出機構４７ａ、４７ｂにおいてハーフカット部位３４の検出が行われる。
【００６６】
第１及び第２検出機構４７ａ、４７ｂを構成する二次元光源６９ａ、６９ｂから赤色光である照明光が長尺状感光性ウエブ２２ａ、２２ｂに照射され、その透過光がＣＣＤカメラ７２ａ、７２ｂに導かれることで、ハーフカット部位３４を含む長尺状感光性ウエブ２２ａ、２２ｂの画像と、基準位置に配置された基準片６７ａ、６７ｂの画像とが撮像される。なお、ハーフカット部位３４は、長尺状感光性ウエブ２２ａ、２２ｂから感光性樹脂層２８を除去した状態で形成されているため、輝度の高いハーフカット部位３４の画像が得られる。位置ずれ量算出部１２０は、撮像された画像に基づき、基準片６７ａ、６７ｂの先端部に対するハーフカット部位３４の位置ずれ量ΔＬａ、ΔＬｂを算出する。
【００６７】
この場合、図２に示す剥離部分３０ａａ側のハーフカット部位３４と、基準片６７ａ、６７ｂの先端部とが一致して位置ずれ量ΔＬａ、ΔＬｂが０であり、ゴムローラ８０ａ、８０ｂ間の所定位置に先行する剥離部分３０ａｂ側のハーフカット部位３４が配置されるように、第１及び第２検出機構４７ａ、４７ｂと貼り付け機構４６との間の基準長さＬが設定されているものとする。
【００６８】
そこで、前記の状態から、感光性ウエブ２２ａ、２２ｂを保護フイルム３０の残存部分３０ｂの幅Ｍに対応した距離だけ搬送して停止させる一方、ガラス基板２４を、基板搬送機構４５の作用下に、予め加熱された状態で貼り付け位置に搬送する。ガラス基板２４は、並列されている感光性ウエブ２２ａ、２２ｂの感光性樹脂層２８の貼り付け部分に対応してゴムローラ８０ａ、８０ｂ間に一旦配置される。
【００６９】
次いで、バックアップローラ８２ｂ及びゴムローラ８０ｂを上昇させることにより、ゴムローラ８０ａ、８０ｂ間にガラス基板２４が所定のプレス圧力で挟み込まれる。ローラ制御部１２６（図６）は、制御パルス補正部１２３から供給される補正されていない基準長さＬに対応したラミネート制御パルスに基づいてローラ駆動モータ１２４を駆動し、ゴムローラ８０ａの回転作用下に、感光性ウエブ２２ａ、２２ｂ及びガラス基板２４を矢印Ｃ方向に搬送する。この結果、並列されている各感光性樹脂層２８が加熱溶融されてガラス基板２４に転写（ラミネート）される。この場合、感光性ウエブ２２ａ、２２ｂに延びがないものとすると、感光性ウエブ２２ａ、２２ｂの感光性樹脂層２８が後方の剥離部分３０ａｂ側のハーフカット部位３４からガラス基板２４の所定部位に正確に転写されることになる。
【００７０】
なお、ラミネート条件としては、速度が１．０ｍ／ｍｉｎ〜１０．０ｍ／ｍｉｎ、ゴムローラ８０ａ、８０ｂの温度が８０℃〜１４０℃、前記ゴムローラ８０ａ、８０ｂのゴム硬度が４０度〜９０度、該ゴムローラ８０ａ、８０ｂのプレス圧（線圧）が５０Ｎ／ｃｍ〜４００Ｎ／ｃｍである。
【００７１】
基板先端検知センサ９４がガラス基板２４の先端を検知し、ゴムローラ８０ａ、８０ｂを介してガラス基板２４に感光性ウエブ２２ａ、２２ｂの一枚分のラミネートが終了すると、前記ゴムローラ８０ａの回転が停止される一方、前記感光性ウエブ２２ａ、２２ｂがラミネートされた前記ガラス基板２４（以下、貼り付け基板２４ａともいう。）が基板搬送ローラ９２によりクランプされる。
【００７２】
そして、ゴムローラ８０ｂが、ゴムローラ８０ａから離間する方向に退避してクランプが解除されるとともに、基板搬送ローラ９２の回転が開始されて、貼り付け基板２４ａが矢印Ｃ方向に保護フイルム３０の残存部分３０ｂの幅Ｍに対応する距離だけ搬送され、保護フイルム３０の後方の剥離部分３０ａｂ側のハーフカット部位３４がゴムローラ８０ａの下方付近の所定位置に移動する。一方、基板搬送機構４５を介して次なるガラス基板２４が貼り付け位置に向かって搬送される。以上の動作が繰り返されることにより、貼り付け基板２４ａが連続的に製造される。
【００７３】
その際、貼り付け基板２４ａは、図４に示すように、それぞれの端部同士が残存部分３０ｂによって覆われている。従って、感光性樹脂層２８がガラス基板２４に転写される際、ゴムローラ８０ａ、８０ｂが前記感光性樹脂層２８により汚れることがない。
【００７４】
貼り付け機構４６でラミネートされた貼り付け基板２４ａは、冷却機構１２２を通って冷却された後、プレ剥離部１４４に移送される。このプレ剥離部１４４では、剥離バー１５６がガラス基板２４間に臨入して上昇し、これによって、ガラス基板２４間の保護フイルム３０が持ち上げられ、隣接するガラス基板２４の後端及び先端から剥離する。
【００７５】
次いで、ベース自動剥離機構１４２では、巻き取り軸１４８の回転作用下に、貼り付け基板２４ａからベースフイルム２６が連続して巻き取られる。さらに、トラブル停止での切り離しや、不良品分離時の切断の後、新たにラミネート処理が開始された貼り付け基板２４ａのベースフイルム２６の先端と、巻き取り軸１４８に巻き取られているベースフイルム２６の後端とは、自動貼り付け機１５０を介して自動的に貼り付けられる。
【００７６】
ベースフイルム２６が剥離された貼り付け基板２４ａは、測定器１５８に対応する検査ステーションに配置される。この検査ステーションでは、ガラス基板２４が位置決め固定された状態で、４台のカメラ１６０によりガラス基板２４と感光性樹脂層２８の画像を取り込む。そして、画像処理が施されることにより、貼り付け位置が演算される。
【００７７】
感光性樹脂層２８の貼り付け位置が確認された貼り付け基板２４ａは、ロボット１３４によって取り出され、感光性積層体１０６として感光性積層体ストッカー１３２に収容される。
【００７８】
ところで、以上の説明では、第１及び第２ウエブ送り出し機構３２ａ、３２ｂから送り出された感光性ウエブ２２ａ、２２ｂが延びることなく正確に貼り付け機構４６に供給されることを前提としているが、実際には、可撓性を有する感光性ウエブ２２ａ、２２ｂがテンションや熱の影響を受けて所定量延びてしまうため、ガラス基板２４の所定位置に感光性樹脂層２８が高精度に転写されないことが懸念される。
【００７９】
そこで、第１及び第２検出機構４７ａ、４７ｂを構成するＣＣＤカメラ７２ａ、７２ｂは、基板先端検知センサ９４がガラス基板２４の先端を検知して感光性ウエブ２２ａ、２２ｂ及びガラス基板２４の搬送が停止されたとき、剥離部分３０ａａ側のハーフカット部位３４及び基準片６７ａ、６７ｂを含む画像を撮像し、その画像を位置ずれ量算出部１２０に供給する。位置ずれ量算出部１２０は、供給された画像に基づき、基準位置である基準片６７ａ、６７ｂの先端部に対するハーフカット部位３４の位置ずれ量ΔＬａ、ΔＬｂを算出する。
【００８０】
この場合、位置ずれ量ΔＬａ、ΔＬｂの符号を、基準片６７ａ、６７ｂに対して、感光性ウエブ２２ａ、２２ｂが供給される上流側を＋、下流側を−とすると、例えば、位置ずれ量ΔＬａ、ΔＬｂが＋のときは、ガラス基板２４に貼り付けられる感光性樹脂層２８が基準長さＬよりも位置ずれ量ΔＬａ、ΔＬｂだけ延びており、−のときは、基準長さＬよりも短くなっていると判定することができる。
【００８１】
算出された位置ずれ量ΔＬａ、ΔＬｂが所定の許容量以内であるとき、位置ずれ量算出部１２０は、位置ずれ量ΔＬａ、ΔＬｂを制御パルス補正部１２３に供給し、感光性ウエブ２２ａ、２２ｂのラミネート制御パルスを位置ずれ量ΔＬａ、ΔＬｂに従って補正する。
【００８２】
次に、第１及び第２検出機構４７ａ、４７ｂを構成するＣＣＤカメラ７２ａ、７２ｂは、長尺状感光性ウエブ２２ａ、２２ｂが、ゴムローラ８０ａの回転作用下に、保護フイルム３０の残存部分３０ｂの幅Ｍに対応した距離だけ搬送されて停止されたとき、剥離部分３０ａｂ側のハーフカット部位３４及び基準片６７ａ、６７ｂを含む画像を撮像し、その画像を位置ずれ量算出部１２０に供給する。位置ずれ量算出部１２０は、供給された画像に基づき、基準位置である基準片６７ａ、６７ｂの先端部に対するハーフカット部位３４の位置ずれ量ΔＭａ、ΔＭｂを算出する。
【００８３】
この場合、剥離部分３０ａｂ側のハーフカット部位３４の位置ずれ量ΔＭａ、ΔＭｂに基づいて、保護フイルム３０の残存部分３０ｂの幅Ｍの変動量を検出することができる。
【００８４】
算出された位置ずれ量ΔＭａ、ΔＭｂが所定の許容量以内であるとき、位置ずれ量算出部１２０は、位置ずれ量ΔＭａ、ΔＭｂを制御パルス補正部１２３に供給し、長尺状感光性ウエブ２２ａ、２２ｂの基板間送り制御パルスを位置ずれ量ΔＭａ、ΔＭｂに従って補正する。
【００８５】
以後、ローラ制御部１２６は、補正されたラミネート制御パルスと、補正された基板間空く利制御パルスとに従ってローラ駆動モータ１２４を駆動し、長尺状感光性ウエブ２２ａ、２２ｂを搬送制御する。
【００８６】
一方、位置ずれ量算出部１２０によって算出された位置ずれ量ΔＬａ、ΔＬｂ又はΔＭａ、ΔＭｂが所定の許容量を超過しているときには、第１及び第２加工機構３６ａ、３６ｂによるハーフカット部位３４の加工位置を補正することで対応する。この場合、ハーフカット位置補正部１２８は、位置ずれ量ΔＬａ、ΔＬｂ又はΔＭａ、ΔＭｂに基づき、ハーフカット部位３４の加工位置を変更し、感光性ウエブ２２ａ、２２ｂにハーフカット部位３４を形成する。
【００８７】
なお、第１の実施形態では、２本の感光性ウエブロール２３ａ、２３ｂを用いているが、これに限定されるものではなく、１本の感光性ウエブローラや、３本以上の感光性ウエブローラを採用してもよい。また、以下に説明する第２の実施形態においても、同様である。
【００８８】
図７は、本発明の第２の実施形態に係る感光性積層体の製造装置３００の概略構成図である。なお、第１の実施形態に係る感光性積層体の製造装置２０と同一の構成要素には同一の参照符号を付して、その詳細な説明は省略する。
【００８９】
製造装置３００は、貼り付け機構４６の下流に配置され、各ガラス基板２４間の感光性ウエブ２２ａ、２２ｂを一体的に切断可能な基板間ウエブ切断機構４８を備える。
【００９０】
このように構成される製造装置３００では、上記の第１の実施形態と同様に、貼り付け機構４６でラミネートされた貼り付け基板２４ａは、矢印Ｃ方向に搬送される。そして、貼り付け基板２４ａ間が基板間ウエブ切断機構４８に対応する位置に至ると、この基板間ウエブ切断機構４８は、前記貼り付け基板２４ａと同一の搬送速度で矢印Ｃ方向に移動しながら、該貼り付け基板２４ａ間で２本の感光性ウエブ２２ａ、２２ｂを一体的に切断する。
【００９１】
この切断後に、基板間ウエブ切断機構４８は、所定の待機位置に戻される一方、貼り付け基板２４ａでは、ベースフイルム２６及び残存部分３０ｂが順次剥離（枚葉剥離）されて感光性積層体１０６が製造される。
【００９２】
なお、上述した各実施形態では、感光性ウエブ２２ａ、２２ｂを透過した照明光をＣＣＤカメラ７２ａ、７２ｂにより受光することでハーフカット部位３４を検出するようにしているが、図８に示すように構成される検出機構１６２ａ、１６２ｂを用いて、感光性ウエブ２２ａ、２２ｂにより反射された照明光に基づきハーフカット部位３４を検出するようにしてもよい。
【００９３】
すなわち、光源１６４ａ、１６４ｂから出力された照明光は、ハーフミラー１６６ａ、１６６ｂにより反射されて感光性ウエブ２２ａ、２２ｂに導かれた後、感光性ウエブ２２ａ、２２ｂによって反射され、ハーフミラー１６６ａ、１６６ｂを透過してＣＣＤカメラ７２ａ、７２ｂに導かれる。この場合、ハーフカット部位３４によって反射された照明光は、感光性ウエブ２２ａ、２２ｂの他の部位によって反射された照明光よりも大きく散乱されるため、周囲よりも光量の少ない筋状の画像として検出することができる。なお、光源１６４ａ、１６４ｂ及びハーフミラー１６６ａ、１６６ｂは、同軸落射照明光学系を構成する。
【図面の簡単な説明】
【００９４】
【図１】本発明の第１の実施形態に係る製造装置の概略構成図である。
【図２】前記製造装置に使用される長尺状感光性ウエブの断面図である。
【図３】前記長尺状感光性ウエブに接着ラベルが接着された状態の説明図である。
【図４】ハーフカット部位の位置を検出する第１及び第２検出機構の構成、及び、第１及び第２検出機構と貼り付け機構との配置関係の説明図である。
【図５】第１及び第２検出機構によりハーフカット部位を検出する状態の説明図である。
【図６】ハーフカット部位の位置ずれを検出して補正するための回路構成ブロック図である。
【図７】本発明の第２の実施形態に係る製造装置の概略構成図である。
【図８】第１及び第２検出機構の他の構成の説明図である。
【図９】特許文献１の製造装置の概略構成図である。
【符号の説明】
【００９５】
２０、３００…製造装置              ２２ａ、２２ｂ…感光性ウエブ
２４…ガラス基板                    ２６…可撓性ベースフイルム
２８…感光性樹脂層                  ３０…保護フイルム
３４…ハーフカット部位              ３６ａ、３６ｂ…加工機構
４６…貼り付け機構
４７ａ、４７ｂ、１６２ａ、１６２ｂ…検出機構
６７ａ、６７ｂ…基準片              ６９ａ、６９ｂ…二次元光源
７２ａ、７２ｂ…ＣＣＤカメラ        ８０ａ、８０ｂ…ゴムローラ
９４…基板先端検知センサ            １２０…位置ずれ量算出部
１２３…制御パルス補正部            １２４…ローラ駆動モータ
１２６…ローラ制御部                １２８…ハーフカット位置補正部
１６４ａ、１６４ｂ…光源            １６６ａ、１６６ｂ…ハーフミラー
【図１】
2008155465.tif 000003
【図２】
2008155465.tif 000004
【図３】
2008155465.tif 000005
【図４】
2008155465.tif 000006
【図５】
2008155465.tif 000007
【図６】
2008155465.tif 000008
【図７】
2008155465.tif 000009
【図８】
2008155465.tif 000010
【図９】
2008155465.tif 000011